(57)【要約】【課題】簡単な構造で、ストロボ等の可動部材のポップアップ量を可変とする。【解決手段】本体１に対しポップアップ動作する可動部材２と、本体１に対する可動部材２のポップアップ量を規制する位置変更可能なストッパ３と、を備える。具体的には、本体１に可動部材２のポップアップ方向に沿って設けられ、ストッパ３が移動可能なスライド溝１ａと、可動部材２に設けられ、スライド溝１ａに沿って移動可能なスライド突部２ｂと、可動部材２を本体１から突出する方向に付勢するバネ部材と、を備える。そして、ストッパ３、スライド溝１ａ、スライド突部２ｂ、及びバネ部材は本体１に内蔵されている。【選択図】図２
2015055757.tif 000002
【特許請求の範囲】
【請求項１】
本体に対し収納及び突出可能にポップアップ動作する可動部材と、
前記本体に対する前記可動部材のポップアップ量を規制する位置変更可能なストッパと、を備えることを特徴とする可動部材のポップアップ量可変装置。
【請求項２】
前記本体に前記可動部材のポップアップ方向に沿って設けられ、前記ストッパが移動可能なスライド溝と、
前記可動部材に設けられ、前記スライド溝に沿って移動可能なスライド突部と、を備えることを特徴とする請求項１に記載の可動部材のポップアップ量可変装置。
【請求項３】
前記可動部材を前記本体から突出する方向に付勢するバネ部材を備えることを特徴とする請求項１または２に記載の可動部材のポップアップ量可変装置。
【請求項４】
前記ストッパ、スライド溝、スライド突部、及びバネ部材は前記本体に内蔵されていることを特徴とする請求項３に記載の可動部材のポップアップ量可変装置。
【請求項５】
前記可動部材はカメラボディに組み込まれるストロボで、
前記カメラボディに対し繰り出し動作可能なレンズ部材と、
前記レンズ部材の繰り出し動作に連動して前記ストッパを位置変更動作させる連動機構と、を備えることを特徴とする請求項１から４のいずれか一項に記載の可動部材のポップアップ量可変装置。
【請求項６】
請求項１から５のいずれか一項に記載のポップアップ量可変装置付きの可動部材を備えることを特徴とする電子機器。
【発明の詳細な説明】
【技術分野】
【０００１】
本発明は、ストロボ等の可動部材のポップアップ量可変装置と、そのポップアップ量可変装置付きの可動部材を備える電子機器に関する。
【背景技術】
【０００２】
垂直方向にポップアップするストロボを備えるカメラがあり、従来、ポップアップ量は機種ごとに専用設計されていた（例えば特許文献１参照）。
【０００３】
例えば図５（ａ）〜（ｃ）に示すように、各々の専用カメラボディからの突出量が相違する複数のレンズＡ、レンズＢ、レンズＣをそれぞれ備える種類の異なるカメラに、垂直方向にポップアップするストロボを各々備える場合、各々のレンズＡ、レンズＢ、レンズＣに対してストロボ光が干渉しない位置までそれぞれポップアップさせる必要があるため、専用設計の場合は問題ない。
【先行技術文献】
【特許文献】
【０００４】
【特許文献１】特開２０１３−１３０６９９号公報
【発明の概要】
【発明が解決しようとする課題】
【０００５】
ところで、共通のカメラボディにて共用設計したい場合には、例えば図６（ａ）〜（ｃ）に示すように、共用カメラボディからの突出量が最も大きいレンズＣに合わせてストロボを最も大きなポップアップ量に設計する必要がある。
しかし、そうすると、図６（ａ）、（ｂ）に示したように、レンズＣより共用カメラボディからの突出量が小さいレンズＡ、レンズＢにおいては、最小限のパララックスにて設計ができないという問題点があった。
【０００６】
あるいは、ズームレンズにおいて、鏡筒が最大に伸びた場合でも、ストロボ光が干渉しない位置までポップアップさせる必要がある。
しかし、そうすると、鏡筒が最大に伸びない状態でも、ストロボのポップアップ量を必要以上に増やさざるを得ず、画像の位置による光量の不均一や被写体の影のでき方に不自然さを生む場合がある。
【０００７】
以上の問題に対し、ストロボのポップアップ量を可変とすることが考えられるが、そうすると、構造複雑・コストアップを招いてしまう。
【０００８】
本発明の課題は、簡単な構造で、ストロボ等の可動部材のポップアップ量を可変とすることである。
【課題を解決するための手段】
【０００９】
以上の課題を解決するため、本発明は、
本体に対しポップアップ動作する可動部材と、
前記本体に対する前記可動部材のポップアップ量を規制する位置変更可能なストッパと、を備える可動部材のポップアップ量可変装置を特徴とする。
【発明の効果】
【００１０】
本発明によれば、可動部材のポップアップ量を規制するストッパの位置を変えることで、可動部材のポップアップ量を機種ごとに最小限にすることができる。
また、ストロボの場合には、レンズの光学特性に合わせて、発光部とレンズ光軸の相対位置を調整することもできる。
【図面の簡単な説明】
【００１１】
【図１】本発明を適用した可動部材の一実施形態の構成を示すもので、ストロボを示した正面図である。
【図２】図１のストロボのポップアップ時の態様を示した図（ａ）〜（ｃ）である。
【図３】図２のストロボポップアップ態様に対応するカメラ鏡筒との関係を示した図（ａ）〜（ｃ）である。
【図４】実施形態２を示すカメラ内部の透視側面図である。
【図５】従来の専用設計のストロボの場合のポップアップ態様に対応するカメラ鏡筒との関係を示した図（ａ）〜（ｃ）である。
【図６】従来の共用設計のストロボの場合のポップアップ態様に対応するカメラ鏡筒との関係を示した図（ａ）〜（ｃ）である。
【発明を実施するための形態】
【００１２】
以下、図を参照して本発明を実施するための形態を詳細に説明する。
（実施形態１）
図１は本発明を適用した可動部材の一実施形態の構成としてストロボを示すもので、１は筐体、２はストロボ、３はストッパである。
【００１３】
図示のように、本体である筐体１に対するストロボ２のポップアップ方式は垂直上方にスライドする方式で、ストロボ２は図示しないバネ部材により筐体１から突出する方向に付勢されている。
【００１４】
実施形態においては、筐体１に内蔵されてストロボ２を上方にポップアップさせるためのスライド機構と、そのスライド機構によるストロボ２のポップアップ量を規制する位置変更可能なストッパ３を備えるポップアップ量可変装置となっている。
このポップアップ量可変装置は、複数機種のレンズあるいは同一レンズにおけるレンズの特性の変化におけるストロボ２のポップアップ量を必要最小限あるいは最適化することができる。
【００１５】
ポップアップ量可変装置は、具体的には、図１に示すように、ストロボ２の筐体１に設けた垂直方向に沿って長い長穴によるスライド溝１ａに、上部にフレネルレンズによる発光部２ａを備えるストロボ２の下部に固定して設けたスライド突部２ｂを移動可能に組み付けたスライド機構と、そのスライド溝１ａに移動可能に組み付けたストッパ３とからなる。
【００１６】
ストッパ３は、図２（ａ）〜（ｃ）に示すように、スライド溝１ａ内の位置を変更して、スライド突部２ｂの上方のスライド位置を制限し、ストロボ２の発光部２ａのポップアップ量を規制する。
【００１７】
こうして、スライド溝１ａ内におけるストッパ３の位置を変えることにより、ストロボ２のポップアップ量を、図３（ａ）〜（ｃ）に示すように、筐体１を内蔵した共用カメラボディ４に対する突出量の異なるレンズ５ａ、レンズ５ｂ、レンズ５ｃに各々対応して、各機種の最小ストロークに設定できるようになっており、複数の機種での共用設計が可能になっている。
【００１８】
ここで、ストッパ３の位置を可変とするには、例えば、ストッパ３をエラストマなど弾性のあるものとし、スライド溝１ａの任意の位置に圧入したり、複数のスライド溝の中から選択して圧入したり、あるいは、ネジ止め、バネによる保持などが可能である。
【００１９】
以上において、ストッパ３の位置をメーカー側で予め決めて、筐体１を共用カメラボディ４に内蔵しておく。これにより、ユーザーによるストッパ３の位置変更が不可となる。
【００２０】
以上、実施形態のポップアップ量可変装置付きストロボ２によれば、ストロボ２の上方へのスライド位置を規制するストッパ３の位置を変えることで、ポップアップ量を変えて、カメラ及びレンズ５の機種（レンズ５ａ、レンズ５ｂ、レンズ５ｃ）ごとに応じ、ストロボ２のポップアップ量を最小限にできるという効果がある。
また、レンズ５の光学特性に合わせて、発光部２ａとレンズ光軸の相対位置を調整できるという効果もある。
【００２１】
さらに、ストッパ３を筐体１の外から操作可能に、例えば図示しない操作レバーとして露出させるようにして、レンズ交換式のカメラに採用すると、各レンズの画角などの光学特性や撮影画像に適したポップアップ位置を選ぶことが可能である。
【００２２】
また、レンズ固定式のズームレンズのカメラにおいても、ストッパ３をスライドさせて、ストロボ２の発光部２ａの位置を調整することも可能である。
【００２３】
（実施形態２）
図４は実施形態２の連動機構を示すもので、図示のように、カメラボディ４の内部には、レンズ駆動モータ６が内蔵されており、このレンズ駆動モータ６の出力軸にピニオン７が備えられて、レンズ５の鏡筒には、ピニオン７と噛み合うギヤ８が備えられている。
従って、レンズ駆動モータ６の駆動によりピニオン７及びギヤ８を経てレンズ５がカメラボディ４に対し繰り出し動作する。
【００２４】
さらに、カメラボディ４の内部には、レンズ５の繰り出し動作に連動してストッパ３を位置変更動作させる連動機構９が内蔵されている。
連動機構９は、図示例において、カメラボディ４の内部に垂直方向に沿って配置されてピニオン７と噛み合うラック９の上端部にストッパ３を一体に設けて構成されている。
【００２５】
この連動機構９により、レンズ５の繰り出し動作に連動して、ピニオン７と噛み合うラック９が上方に移動し、すなわち、ラック９に一体のストッパ３が前記スライド溝１ａに沿って上方に移動する。
従って、ストロボ２のポップアップ量を、前記筐体１を内蔵したカメラボディ４に備えるレンズ５の繰り出し量に対応して無段階的に変化することができるようになる。
【００２６】
（変形例）
以上の実施形態においては、カメラのストロボとしたが、本発明はこれに限定されるものではなく、アンテナやキャリングバッグのハンドルなど他の可動部材であってもよい。
さらに、カメラに限らず、カメラを備える携帯電話など他の電子機器であってもよい。
また、実施形態では、垂直方向のポップアップとしたが、傾斜しながら開閉するタイプのポップアップであってもよい。
さらに、連動機構の構成は実施形態に限らず任意であり、その他、具体的な細部構造等についても適宜に変更可能であることは勿論である。
【００２７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に対し収納及び突出可能にポップアップ動作する可動部材と、
前記本体に対する前記可動部材のポップアップ量を規制する位置変更可能なストッパと、を備えることを特徴とする可動部材のポップアップ量可変装置。
＜請求項２＞
前記本体に前記可動部材のポップアップ方向に沿って設けられ、前記ストッパが移動可能なスライド溝と、
前記可動部材に設けられ、前記スライド溝に沿って移動可能なスライド突部と、を備えることを特徴とする請求項１に記載の可動部材のポップアップ量可変装置。
＜請求項３＞
前記可動部材を前記本体から突出する方向に付勢するバネ部材を備えることを特徴とする請求項１または２に記載の可動部材のポップアップ量可変装置。
＜請求項４＞
前記ストッパ、スライド溝、スライド突部、及びバネ部材は前記本体に内蔵されていることを特徴とする請求項３に記載の可動部材のポップアップ量可変装置。
＜請求項５＞
前記可動部材はカメラボディに組み込まれるストロボで、
前記カメラボディに対し繰り出し動作可能なレンズ部材と、
前記レンズ部材の繰り出し動作に連動して前記ストッパを位置変更動作させる連動機構と、を備えることを特徴とする請求項１から４のいずれか一項に記載の可動部材のポップアップ量可変装置。
＜請求項６＞
請求項１から５のいずれか一項に記載のポップアップ量可変装置付きの可動部材を備えることを特徴とする電子機器。
【符号の説明】
【００２８】
１  筐体（本体）
１ａ  スライド溝
２  ストロボ（可動部材）
２ａ  発光部
２ｂ  スライド突部
３  ストッパ
４  カメラボディ
５  レンズ
６  レンズ駆動モータ
７  ピニオン
８  ギヤ
９  連動機構
【図１】
2015055757.tif 000003
【図２】
2015055757.tif 000004
【図３】
2015055757.tif 000005
【図４】
2015055757.tif 000006
【図５】
2015055757.tif 000007
【図６】
2015055757.tif 000008